(57)【要約】      （修正有）【課題】７極以上の高電圧出力部を備えるとともに、全ての高電圧出力部において着火に必要な着火用高電圧を発生できる着火装置用昇圧トランスおよび着火装置を提供する。【解決手段】着火装置に備えられる昇圧トランス２９は、４個の二次巻線２９ｂ１〜２９ｂ４を備えることで、点火用高電圧を出力する高圧出力端子を７個以上備えることができる。一次巻線２９ａのうち端部一次巻線２９ａ１、２９ａ３は、それぞれ、二次巻線２９ｂのうち端部二次巻線２９ｂ１、２９ｂ４に重なる領域に形成されている。一次巻線２９ａのうち中央一次巻線２９ａ２は、中間二次巻線２９ｂ２、２９ｂ３のそれぞれの配置領域のうち少なくとも一部に対して、少なくとも一部が重なる領域に配置されている。この昇圧トランス２９は、４個の二次巻線２９ｂ１〜２９ｂ４のそれぞれの端部に発生する着火用高電圧にバラツキが生じることを抑制できる。【選択図】図３
2017174891.tif 000002
【特許請求の範囲】
【請求項１】
長尺形状のコアと、
前記コアの周囲に巻回される一次巻線と、
前記一次巻線の外側に巻回される二次巻線と、
を備えて、着火用高電圧を発生する着火装置用昇圧トランスであって、
前記二次巻線は、４個以上備えられるとともに、複数の前記二次巻線は、前記コアの長手方向に沿って配置されており、
前記一次巻線は、３個備えられるとともに、複数の前記一次巻線は、前記コアの長手方向に沿って配置されており、
前記３個の一次巻線のうち前記コアの長手方向における両端に配置される２個の端部一次巻線は、それぞれ、前記４個以上の二次巻線のうち前記コアの長手方向における両端に配置される２個の端部二次巻線に重なる領域に形成されており、
前記３個の一次巻線のうち前記コアの長手方向における中央に配置される中央一次巻線は、前記４個以上の二次巻線のうち前記端部二次巻線を除いた複数の中間二次巻線のそれぞれの配置領域に対して、少なくとも一部が重なる領域に形成されている、
着火装置用昇圧トランス。
【請求項２】
前記中央一次巻線の巻数は、２つの前記端部一次巻線のそれぞれの巻数よりも多い、
請求項１に記載の着火装置用昇圧トランス。
【請求項３】
２つの前記端部一次巻線のそれぞれの巻数は、前記中央一次巻線の巻数の２分の１以上である、
請求項２に記載の着火装置用昇圧トランス。
【請求項４】
長尺形状のコアと、前記コアの周囲に巻回される一次巻線と、前記一次巻線の外側に巻回される二次巻線と、を備えて、着火用高電圧を発生する着火装置用昇圧トランスと、
前記一次巻線の通電電流を制御して、前記二次巻線に前記着火用高電圧を発生させる制御部と、
を備える着火装置であって、
前記着火装置用昇圧トランスは、請求項１から請求項３のうちいずれか一項に記載の着火装置用昇圧トランスである、
着火装置。
【発明の詳細な説明】
【技術分野】
【０００１】
本発明は、コアと一次巻線と二次巻線とを備えて着火用高電圧を発生する着火装置用昇圧トランス、および、着火装置用昇圧トランスを有する着火装置に関する。
【背景技術】
【０００２】
コアと、一次巻線と、二次巻線と、を備えて、着火用高電圧を発生する着火装置用昇圧トランスが知られている。コアは、長尺形状の鉄芯である。一次巻線は、コアの周囲に巻回されている。二次巻線は、一次巻線の外側に巻回されている。
【０００３】
このような着火装置用昇圧トランスは、例えば、テーブルコンロ（ビルトインコンロを含む）の着火装置や、テーブルコンロ（ビルトインコンロを含む）とオーブンとの複合ユニット装置の着火装置などに用いられる。
【０００４】
着火装置は、例えば、着火装置用昇圧トランスと制御部とを備えて構成される。制御部は、一次巻線の通電電流を制御して、二次巻線に着火用高電圧を発生させる。
複数の着火口を有する着火装置に備えられる着火装置用昇圧トランスとしては、例えば、３個の二次巻線を備えて、６極の高電圧出力部を備えるものがある（特許文献１，２）。このような着火装置用昇圧トランスは、６個の着火口のそれぞれにおいて着火用高電圧を発生できる。
【先行技術文献】
【特許文献】
【０００５】
【特許文献１】特開２００１−２８９４３８号公報
【特許文献２】特開２００１−０１５３５８号公報
【発明の概要】
【発明が解決しようとする課題】
【０００６】
しかし、着火装置用昇圧トランスにおける高電圧出力部の極数の最大値が６極である場合、７個以上の着火口を有する着火装置においては、着火装置用昇圧トランスを複数備える必要があり、着火装置が大型化するという問題が生じる。
【０００７】
例えば、着火装置が複数の着火装置用昇圧トランスを備える場合には、昇圧トランス用の電源装置を複数備える必要があり、複数の着火装置用昇圧トランスの設置領域のみならず、複数の電源装置の設置領域を確保する必要が生じる。また、複数の着火装置用昇圧トランスどうしを近接して配置すると、互いに影響を及ぼし合って着火用高電圧を適切に発生できない虞があるため、複数の着火装置用昇圧トランスどうしの距離を一定以上離す措置を講ずる場合があり、その場合には着火装置が大型化することになる。
【０００８】
なお、従来の着火装置用昇圧トランスにおいて、二次巻線を３個から４個に増設することで、７極以上の高電圧出力部を有する構成を実現することも考えられる。
しかしながら、単純に二次巻線を３個から４個に増設した着火装置用昇圧トランスでは、複数の高電圧出力部のそれぞれに発生する着火用高電圧の大きさにバラツキが生じてしまい、高電圧出力部によっては着火に必要な着火用高電圧を発生できない虞がある。
【０００９】
そこで、本発明は、７極以上の高電圧出力部を備えるとともに、全ての高電圧出力部において着火に必要な着火用高電圧を発生できる着火装置用昇圧トランス、およびそのような着火装置用昇圧トランスを有する着火装置を提供することを目的とする。
【課題を解決するための手段】
【００１０】
本発明の１つの局面における着火装置用昇圧トランスは、長尺形状のコア（鉄芯）と、コアの周囲に巻回される一次巻線と、一次巻線の外側に巻回される二次巻線と、を備えて、着火用高電圧を発生する着火装置用昇圧トランスであって、二次巻線は、４個以上備えられるとともに、複数の二次巻線は、コアの長手方向に沿って配置されており、一次巻線は、３個備えられるとともに、複数の一次巻線は、コアの長手方向に沿って配置されている。
【００１１】
３個の一次巻線のうちコアの長手方向における両端に配置される２個の端部一次巻線は、それぞれ、４個以上の二次巻線のうちコアの長手方向における両端に配置される２個の端部二次巻線に重なる領域に形成されている。また、３個の一次巻線のうちコアの長手方向における中央に配置される中央一次巻線は、４個以上の二次巻線のうち端部二次巻線を除いた複数の中間二次巻線のそれぞれの配置領域に対して、少なくとも一部が重なる領域に形成されている。
【００１２】
このような構成の着火装置用昇圧トランスは、４個以上の二次巻線を備えるため、７極以上の高電圧出力部を備えることができる。
また、この着火装置用昇圧トランスは、一次巻線を３個備えると共に、３個の一次巻線のそれぞれの形成領域を上記のように特定することで、４個以上の二次巻線を備える場合においても、４個以上の二次巻線のそれぞれの端部に発生する着火用高電圧にバラツキが生じることを抑制できる。これにより、この着火装置用昇圧トランスは、全ての高電圧出力部において着火に必要な着火用高電圧を発生できる。
【００１３】
よって、本発明の着火装置用昇圧トランスによれば、７極以上の高電圧出力部を備えるとともに、全ての高電圧出力部において着火に必要な着火用高電圧を発生できる。
次に、上述の着火装置用昇圧トランスにおいては、中央一次巻線の巻数は２つの端部一次巻線のそれぞれの巻数よりも多い構成であってもよい。
【００１４】
複数の一次巻線（１個の中央一次巻線、２個の端部一次巻線）におけるそれぞれの巻数を、上記のように特定することで、より一層、複数の二次巻線のそれぞれの端部に発生する着火用高電圧にバラツキが生じることを抑制できる。
【００１５】
次に、上述の着火装置用昇圧トランスにおいては、２つの端部一次巻線のそれぞれの巻数は中央一次巻線の巻数の２分の１以上である構成であってもよい。
複数の一次巻線（１個の中央一次巻線、２個の端部一次巻線）におけるそれぞれの巻数を、上記のように特定することで、より一層、複数の二次巻線のそれぞれの端部に発生する着火用高電圧にバラツキが生じることを抑制できる。
【００１６】
次に、本発明の他の局面における着火装置は、着火装置用昇圧トランスと、制御部と、を備える着火装置であって、着火装置用昇圧トランスは、上述のうちいずれかの着火装置用昇圧トランスである。制御部は、一次巻線の通電電流を制御して、二次巻線に着火用高電圧を発生させる。
【００１７】
このような構成の着火装置は、上述の着火装置用昇圧トランスを備えることから、７極以上の高電圧出力部を備えるとともに、全ての高電圧出力部において着火に必要な着火用高電圧を発生できる。
【発明の効果】
【００１８】
本発明の着火装置用昇圧トランスによれば、７極以上の高電圧出力部を備えるとともに、全ての高電圧出力部において着火に必要な着火用高電圧を発生できる。
また、本発明の着火装置によれば、７極以上の高電圧出力部を備えるとともに、全ての高電圧出力部において着火に必要な着火用高電圧を発生できる。
【図面の簡単な説明】
【００１９】
【図１】着火装置の本体ケースの外観を示す説明図である。
【図２】着火装置の回路構成を示す回路図である。
【図３】昇圧トランスの内部構造を表した断面図である。
【図４】昇圧トランスにおける二次巻線の出力電圧の測定に用いる各種機器の接続状態を示した説明図である。
【図５】昇圧トランスにおける二次巻線の放電エネルギーの測定に用いる各種機器の接続状態を示した説明図である。
【図６】実験例１〜４、比較例１〜２のそれぞれにおける一次巻線および二次巻線の構成（線径、巻数）を表形式で示した説明図である。
【図７】実験例１〜４、比較例１〜２のそれぞれにおける二次巻線の出力電圧および放電エネルギーの測定結果を表形式で示した説明図である。
【図８】実験例１および比較例２における二次巻線の出力電圧の測定結果を折れ線グラフで表した説明図である。
【図９】実験例１および比較例２における二次巻線の放電エネルギーの測定結果を折れ線グラフで表した説明図である。
【図１０】比較例２の昇圧トランスの内部構造を表した断面図である。
【発明を実施するための形態】
【００２０】
以下、本発明が適用された実施形態について、図面を用いて説明する。
尚、本発明は、以下の実施形態に何ら限定されるものではなく、本発明の技術的範囲に属する限り種々の形態を採り得ることはいうまでもない。
【００２１】
［１．第１実施形態］
［１−１．全体構成］
本実施形態に係る着火装置１の構成について説明する。
【００２２】
第１実施形態に係る着火装置１は、外部電源から受電した電圧を昇圧することで着火用高電圧を発生する。
図１は、第１実施形態に係る着火装置１の本体ケース１ａの外観を示す説明図である。
【００２３】
本体ケース１ａは、樹脂材料（例えば、ＡＢＳ樹脂など）で構成されており、内部空間が仕切壁（図示省略）によって複数の空間に仕切られている。複数の空間としては、例えば、着火装置用昇圧トランス２９（図２参照）を収容するための昇圧トランス収容空間３や、着火制御回路２１（図２参照）を収容するための着火制御回路収容空間４などが備えられる。
【００２４】
本体ケース１ａは、８個の高圧出力端子８（端子８Ａ、８Ｂ、８Ｃ、８Ｄ、８Ｅ、８Ｆ、８Ｇ、８Ｈ）を備えている。複数の高圧出力端子８（高電圧出力部８ともいう）は、それぞれの先端部が本体ケース１ａの外側に露出するように配置されている。複数の高圧出力端子８のうち端子８Ｇを除いた７個の端子８Ａ、８Ｂ、８Ｃ、８Ｄ、８Ｅ、８Ｆ、８Ｈは、本体ケース１ａの内部において、それぞれ着火装置用昇圧トランス２９（以下、昇圧トランス２９ともいう）に電気的に接続されている。なお、端子８Ｇは、予備用端子として備えられている。
【００２５】
本体ケース１ａは、電源入力端子１４を備えている。電源入力端子１４は、正極端子１４ａと、負極端子１４ｂと、を備えており、外部電源（バッテリ、乾電池など）に電気的に接続される。電源入力端子１４は、本体ケース１ａの内部において、着火制御回路に電気的に接続されている。
【００２６】
［１−２．回路構成］
次に、着火装置１に備えられる着火制御回路２１の回路構成について説明する。図２は、着火装置１の回路構成を示す回路図である。
【００２７】
着火装置１は、着火制御回路２１と、昇圧トランス２９と、を備えている。
着火制御回路２１は、電源入力端子１４（正極端子１４ａ、負極端子１４ｂ）を介して、外部電源２０（例えば、バッテリ、乾電池など）と電気的に接続されている。
【００２８】
着火制御回路２１は、発振回路２１ａと、スイッチング回路２１ｂと、を備える。発振回路２１ａは、抵抗２２、整流ダイオード２３、トランジスタ２４、発振トランス２５を備えている。スイッチング回路２１ｂは、ダイオード２６、サイダック２７、コンデンサ２８を備えている。
【００２９】
外部電源２０の正極は、正極端子１４ａを介して、発振トランス２５の一次側の中間点に接続される。電池２０の負極は、負極端子１４ｂ、整流ダイオード２３および抵抗２２を介して発振トランス２５の一次側の一端に接続される。発振トランス２５の一次側の他端は、トランジスタ２４のコレクタ・エミッタ回路および負極端子１４ｂを介して、電池２０の負極に接続される。トランジスタ２４のベースは、整流ダイオード２３と抵抗２２との接続点に接続される。
【００３０】
これらの各構成によって、交流電圧を発生する発振回路２１ａが形成される。この発振回路２１ａは、図示してないスイッチ（燃焼器具（テーブルコンロなど）の点火スイッチ）をオン状態にすることにより発振トランス２５の二次側に交流出力を発生する。
【００３１】
上記のようにして発振回路２１ａで発生した交流出力（交流電圧）は、スイッチング回路２１ｂを介して、昇圧トランス２９の一次側に加えられる。これにより、昇圧トランス２９の一次巻線２９ａの電流は、スイッチング回路２１ｂで決まる周期に基づいて通電・遮断が切り替えられる。
【００３２】
つまり、着火制御回路２１は、昇圧トランス２９における一次巻線２９ａの通電電流を制御して、昇圧トランス２９の二次巻線２９ｂに着火用高電圧を発生させるための制御回路である。
【００３３】
昇圧トランス２９は、一次巻線２９ａと、二次巻線２９ｂと、を備えている。一次巻線２９ａは、３つの巻線２９ａ１、２９ａ２、２９ａ３を備えており、二次巻線２９ｂは、４つの巻線２９ｂ１、２９ｂ２、２９ｂ３、２９ｂ４を備えている。なお、第１一次巻線２９ａ１、第２一次巻線２９ａ２、第３一次巻線２９ａ３は直列接続されていることから、図２では、３つの巻線２９ａ１、２９ａ２、２９ａ３を一体のものとして簡略化して図示している。
【００３４】
上記のようにしてスイッチング回路２１ｂで決まる周期に基づいて、昇圧トランス２９の一次巻線２９ａにおける電流の通電・遮断が切り替えられると、昇圧トランス２９の４つの二次巻線２９ｂにおけるそれぞれの端子間（ＡとＢとの間、ＣとＤとの間、ＥとＦとの間、グランドラインとＨとの間）に、所定の出力電圧（着火用高電圧）が発生する。
【００３５】
なお、４つの二次巻線２９ｂは、それぞれ複数の高圧出力端子８およびグランドラインのうちいずれかに接続される。具体的には、第１二次巻線２９ｂ１の両端のうち一方は端子８Ａに接続され、他方は端子８Ｂに接続される。第２二次巻線２９ｂ２の両端のうち一方は端子８Ｃに接続され、他方は端子８Ｄに接続される。第３二次巻線２９ｂ３の両端のうち一方は端子８Ｅに接続され、他方は端子８Ｆに接続される。第４二次巻線２９ｂ４の両端のうち一方はグランドラインに接続され、他方は端子８Ｈに接続される。
【００３６】
複数の高圧出力端子８は、それぞれ、点火用高電圧の発生時には、燃焼器具に備えられるグランド電極３１との間に火花を発生する。
このような構成の着火制御回路２１（発振回路２１ａおよびスイッチング回路２１ｂ）は、プリント基板（図示していない）上に形成される。このプリント基板は、本体ケース１ａに収容されると共に、複数の高圧出力端子８および電源入力端子１４に電気的に接続される。
【００３７】
［１−３．昇圧トランス］
次に、昇圧トランス２９の構造について説明する。
図３は、昇圧トランス２９の内部構造を表した断面図である。
【００３８】
昇圧トランス２９は、一次巻線２９ａと、二次巻線２９ｂと、コア２９ｃと、中空円筒ボビン２９ｄと、を備える。
コア２９ｃは、長尺の円柱形状に形成されたフェライト製の部材である。
【００３９】
一次巻線２９ａは、コア２９ｃの周囲に巻回される構成であり、詳細には、３つの一次巻線（第１一次巻線２９ａ１、第２一次巻線２９ａ２、第３一次巻線２９ａ３）を備えて構成されている。以下、第１一次巻線２９ａ１、第２一次巻線２９ａ２、第３一次巻線２９ａ３を、それぞれ、端部一次巻線２９ａ１，中央一次巻線２９ａ２，端部一次巻線２９ａ３ともいう。
【００４０】
端部一次巻線２９ａ１，中央一次巻線２９ａ２，端部一次巻線２９ａ３は、この順に電気的に直列に接続されている。端部一次巻線２９ａ１，中央一次巻線２９ａ２，端部一次巻線２９ａ３は、この順にコア２９ｃの長手方向に沿って配置されている。つまり、端部一次巻線２９ａ１および端部一次巻線２９ａ３が、コア２９ｃの長手方向の両端のそれぞれに配置され、中央一次巻線２９ａ２がコア２９ｃの長手方向の中央に配置されている。
【００４１】
一次巻線２９ａは、線径（直径）が０．５ｍｍの導電性材料で形成された巻線を用いて形成されている。端部一次巻線２９ａ１の巻回数は１２巻であり、中央一次巻線２９ａ２の巻回数は２０巻であり、端部一次巻線２９ａ３の巻回数は１２巻である。なお、一次巻線２９ａのうち、端部一次巻線２９ａ１と中央一次巻線２９ａ２とを接続する部分は、２巻分の接続用巻線で形成されており、中央一次巻線２９ａ２と端部一次巻線２９ａ３とを接続する部分は、２巻分の接続用巻線で形成されている。つまり、一次巻線２９ａの巻回数は、合計で４８巻である。
【００４２】
中空円筒ボビン２９ｄは、樹脂材料で構成された円筒形状の部材である。中空円筒ボビン２９ｄは、一次巻線２９ａおよびコア２９ｃを収容するための中空部と、二次巻線２９ｂを巻回するための外周部と、を備える。中空円筒ボビン２９ｄの外周部は、二次巻線２９ｂの配置領域を４箇所に区分けするように形成されている。
【００４３】
二次巻線２９ｂは、４つの二次巻線（第１二次巻線２９ｂ１、第２二次巻線２９ｂ２、第３二次巻線２９ｂ３、第４二次巻線２９ｂ４）を備えて構成されている。以下、第１二次巻線２９ｂ１、第２二次巻線２９ｂ２、第３二次巻線２９ｂ３、第４二次巻線２９ｂ４を、それぞれ、端部二次巻線２９ｂ１，中間二次巻線２９ｂ２，中間二次巻線２９ｂ３，端部二次巻線２９ｂ４ともいう。
【００４４】
端部二次巻線２９ｂ１，中間二次巻線２９ｂ２，中間二次巻線２９ｂ３，端部二次巻線２９ｂ４は、この順に電気的に直列に接続されている。また、二次巻線２９ｂは、中空円筒ボビン２９ｄの外周部において、コア２９ｃの長手方向に沿って一方の端部から他方の端部にかけて、端部二次巻線２９ｂ１，中間二次巻線２９ｂ２，中間二次巻線２９ｂ３，端部二次巻線２９ｂ４の順に配置されている。
【００４５】
二次巻線２９ｂは、線径（直径）が０．０５ｍｍの導電性材料で形成された巻線を用いて形成されている。端部二次巻線２９ｂ１，中間二次巻線２９ｂ２，中間二次巻線２９ｂ３，端部二次巻線２９ｂ４のそれぞれの巻回数は、２００巻である。つまり、二次巻線２９ｂの巻回数は、合計で８００巻である。
【００４６】
そして、昇圧トランス２９は、コア２９ｃの長手方向における３つの一次巻線２９ａ１，２９ａ２，２９ａ３どうしの隙間寸法が、コア２９ｃの長手方向における４つの二次巻線２９ｂ１，２９ｂ２，２９ｂ３，２９ｂ４どうしの隙間寸法に比べて、大きくなるように構成されている。
【００４７】
具体的には、一次巻線２９ａのうち端部一次巻線２９ａ１は、端部二次巻線２９ｂ１の配置領域のうち少なくとも一部に重なる領域に形成されており、一次巻線２９ａのうち端部一次巻線２９ａ３は、端部二次巻線２９ｂ４の配置領域のうち少なくとも一部に重なる領域に形成されている。一次巻線２９ａのうち中央一次巻線２９ａ２は、自身の少なくとも一部が、中間二次巻線２９ｂ２の配置領域のうち少なくとも一部と、中間二次巻線２９ｂ３の配置領域のうち少なくとも一部と、に対して重なる領域に配置されている。
【００４８】
つまり、一次巻線２９ａは、コア２９ｃの長手方向全域において巻回密度が均等となる構成ではなく、コア２９ｃの長手方向における両端領域（端部一次巻線２９ａ１，端部一次巻線２９ａ３）および中央領域（中央一次巻線２９ａ２）での巻回密度が高く、それ以外の領域での巻回密度が低くなるように配置されている。
【００４９】
［１−４．二次巻線の出力電圧および放電エネルギーの測定］
次に、着火装置１の昇圧トランス２９における二次巻線の出力電圧および二次巻線の放電エネルギーを測定した測定結果について説明する。
【００５０】
二次巻線の出力電圧の測定は、図４に示すように、高圧プローブ５１と、オシロスコープ５３と、可変電圧電源５５と、電流計５７と、電圧計５９と、測定用コンデンサＣ１〜Ｃ６，Ｃ８と、を用いて実施した。測定用コンデンサＣ１〜Ｃ６，Ｃ８は、静電容量が２０ｐＦのコンデンサで構成されている。高圧出力端子８Ａ〜８Ｆ，８Ｈのそれぞれに対応する位置に高圧プローブ５１を順番に配置して、高圧出力端子８Ａ〜８Ｆ，８Ｈのそれぞれに発生する出力電圧を測定することで、昇圧トランス２９の二次巻線２９ｂに発生する出力電圧を測定した。
【００５１】
二次巻線の放電エネルギーの測定は、図５に示すように、高圧プローブ５１と、オシロスコープ５３と、可変電圧電源５５と、電流計５７と、電圧計５９と、電圧プローブ６１と、測定用抵抗Ｒ１〜Ｒ６，Ｒ８と、を用いて実施した。
【００５２】
放電エネルギーの測定においては、まず、高圧出力端子８Ａ〜８Ｆ，８Ｈのそれぞれに対応する位置に高圧プローブ５１および電圧プローブ６１を順番に接続して、高圧プローブ５１で検出される出力電圧値と、測定用抵抗Ｒ１に流れる放電電流値と、を検出することで、高圧出力端子８Ａ〜８Ｆ，８Ｈのそれぞれについて出力電圧値および放電電流値を測定した。そして、高圧出力端子８Ａ〜８Ｆ，８Ｈのそれぞれについて検出した出力電圧値および放電電流値を用いて、昇圧トランス２９の二次巻線２９ｂから出力される放電エネルギーを演算した。
【００５３】
なお、本測定では、４つの二次巻線を備える昇圧トランスとして、上記の昇圧トランス２９（実験例１）に加えて、実験例１とは一次巻線の巻き方が異なる３種類の昇圧トランス（実験例２，実験例３，実験例４）と、一次巻線が均等に巻回された昇圧トランス（比較例１）と、について測定を実施した。また、従来の６極構成（３つの二次巻線を備える構成）の昇圧トランス（比較例２）についても、測定を実施した。なお、比較例１については、二次巻線の出力電圧のみを測定し、放電エネルギーの測定は省略した。
【００５４】
図６は、実験例１〜４、比較例１〜２のそれぞれにおける一次巻線および二次巻線のそれぞれの構成（線径、巻数など）を表形式で示した説明図である。なお、二次巻線の巻数は、複数の二次巻線の合計値である。また、実験例１〜実験例３における一次巻線の巻数（合計値）は、中央一次巻線と端部一次巻線とを繋ぐ部分の巻数を含めた数値が記載されている。
【００５５】
図６に示すように、実験例１、実験例２、実験例３、実験例４、比較例１は、二次巻線の線径、二次巻線の巻数、一次巻線の線径がそれぞれ同一条件であるが、一次巻線の巻数あるいは巻き方に関する条件が異なっている。具体的には、一次巻線の巻数については、実験例１〜実験例３は互いに同一巻数（４８巻）であるが、実験例４（６０巻）および比較例１（７０巻）は、実験例１〜実験例３よりも巻数が多い構成である。一次巻線の巻き方については、実験例１および実験例３は、中央（中央一次巻線２９ａ２）が両端（端部一次巻線２９ａ１，２９ａ３）よりも巻数が多い構成であり、実験例２および実験例４は、中央（中央一次巻線２９ａ２）と両端（端部一次巻線２９ａ１，２９ａ３）との巻数がほぼ同数の構成であり、比較例１は、均等に巻回された構成である。
【００５６】
また、比較例２は、二次巻線の線径は実験例１などと同一条件であるが、二次巻線の個数は３個であり、二次巻線の合計巻数は実験例１などよりも少ない構成である。比較例２の６極構成の従来昇圧トランス７１は、図１０に示すように、一次巻線７１ａと、二次巻線７１ｂと、コア７１ｃと、中空円筒ボビン７１ｄと、を備える。二次巻線７１ｂは、３つの巻線７１ｂ１，７１ｂ２，７１ｂ３を備える。
【００５７】
図７は、実験例１〜４、比較例１〜２のそれぞれにおける二次巻線の出力電圧および放電エネルギーの測定結果を表形式で示した説明図である。
なお、４つの二次巻線を備える昇圧トランス（実験例１、実験例２、実験例３、実験例４、比較例１）については、第４二次巻線２９ｂ４（端部二次巻線２９ｂ４）の端部のうち、図２ではグランドラインに接続されている端部を、グランドラインではなく高圧出力端子８Ｇに接続して、出力電圧および放電エネルギーの測定を実施した。つまり、４つの二次巻線を備える昇圧トランス（実験例１、実験例２、実験例３、実験例４、比較例１）については、７個の高圧出力端子ではなく、８個の高圧出力端子について、測定を実施した。
【００５８】
まず、比較例１および比較例２の測定結果を比較すると、複数（８個または６個）の高圧出力端子８Ａ〜８Ｈから出力されるそれぞれの二次巻線の出力電圧のうち最低値は、比較例１（１４．８［ｋＶ］）と比較例２（１４．９［ｋＶ］）とが同等となることがわかる。つまり、高圧出力端子を６極から８極に増設する場合には、二次巻線を３個（６極構成）から４個（８極構成）に増設するとともに二次巻線の合計巻数を増加させつつ、一次巻線の巻数を増加させることで、二次巻線の出力電圧を同等に設定できることがわかる。この場合、二次巻線の巻数および一次巻線の巻数を増やす必要があるため、製造コストが上昇する。また、複数の出力電圧の最高値と最低値との差分値は、比較例１が２．６［ｋＶ］（＝１７．４−１４．８）であり、比較例２が１．６［ｋＶ］（＝１６．５−１４．９）であるため、複数の高圧出力端子ごとの出力電圧のバラツキは、比較例２よりも比較例１の方が大きくなる。
【００５９】
次に、実験例４および比較例１の測定結果を比較すると、８個の高圧出力端子８Ａ〜８Ｈから出力されるそれぞれの二次巻線の出力電圧のうち最低値は、実験例４（１５．６［ｋＶ］）が比較例１（１４．９［ｋＶ］）よりも高い値を示す。このため、一次巻線について、巻数を減らした場合（７０巻→６０巻）でも、「均等に巻回する形態」よりも「３個に分けて配置する構成」を採用することで、二次巻線の出力電圧を向上できる。つまり、実験例４は、比較例１に比べて、一次巻線の合計巻数が減少できるため、材料の使用量を低減できるとともに巻回作業時間を短縮できることから、昇圧トランスの製造コストを低減できる。また、複数の出力電圧の最高値と最低値との差分値は、実験例４が１．９［ｋＶ］（＝１７．５−１５．６）であり、比較例１が２．６［ｋＶ］（＝１７．４−１４．８）であるため、複数の高圧出力端子ごとの出力電圧のバラツキは、比較例１よりも実験例４の方が小さくなる。
【００６０】
次に、実験例３および実験例４の測定結果を比較すると、８個の高圧出力端子８Ａ〜８Ｈから出力されるそれぞれの二次巻線の出力電圧のうち最低値は、実験例３（１６．７［ｋＶ］）が実験例４（１５．６［ｋＶ］）よりも高い値を示す。このため、一次巻線について「３個に分けて配置する構成」を採用するにあたり、合計巻数を減らした場合（６０巻→４８巻）でも、「中央一次巻線の巻回密度（巻回間隔）が狭い構成」を採用することで、二次巻線の出力電圧を向上できる。つまり、実験例３は、実験例４に比べて、一次巻線の合計巻数が減少できるため、昇圧トランスの製造コストの低減を図ることができる。また、複数の出力電圧の最高値と最低値との差分値は、実験例３が３．２［ｋＶ］（＝１９．９−１６．７）であり、実験例４が１．９［ｋＶ］（＝１７．５−１５．６）であるため、複数の高圧出力端子ごとの出力電圧のバラツキは、実験例３よりも実験例４の方が小さくなる。
【００６１】
次に、実験例２および実験例３の測定結果を比較すると、８個の高圧出力端子８Ａ〜８Ｈから出力されるそれぞれの二次巻線の出力電圧のうち最低値は、実験例２（１６．８［ｋＶ］）と実験例３（１６．７［ｋＶ］）とで同等の値を示す。また、複数の出力電圧の最高値と最低値との差分値は、実験例２が１．８［ｋＶ］（＝１８．６−１６．８）であり、実験例３が３．２［ｋＶ］（＝１９．９−１６．７）であるため、複数の高圧出力端子ごとの出力電圧のバラツキは、実験例３よりも実験例２の方が小さくなる。このため、一次巻線について「３個に分けて配置する構成」を採用するにあたり、「端部一次巻線の巻数が中央一次巻線の巻数の２分の１よりも少ない構成」よりも「端部一次巻線の巻数が中央一次巻線の巻数と同程度の構成」を採用することで、複数の高圧出力端子ごとの出力電圧のバラツキを低減できる。
【００６２】
ここで、実験例１における「複数の出力電圧の最高値と最低値との差分値」は、１．６［ｋＶ］（＝１７．９−１６．３）であり、複数の高圧出力端子ごとの出力電圧のバラツキは、実験例３および実験例２よりも実験例１の方が小さくなる。このため、一次巻線について「３個に分けて配置する構成」を採用するにあたり、「端部一次巻線の巻数が中央一次巻線の巻数の２分の１よりも少ない構成」あるいは「端部一次巻線の巻数が中央一次巻線の巻数と同程度の構成」よりも、「端部一次巻線の巻数が中央一次巻線の巻数よりも少なく、かつ、端部一次巻線の巻数が中央一次巻線の巻数の２分の１以上である構成」を採用することで、複数の高圧出力端子ごとの出力電圧のバラツキを低減できる。
【００６３】
次に、実験例１および実験例２の測定結果を比較すると、８個の高圧出力端子８Ａ〜８Ｈから出力されるそれぞれの二次巻線の出力電圧のうち最低値は、実験例１（１６．３［ｋＶ］）が実験例２（１６．８［ｋＶ］）よりもわずかに低い値を示す。しかし、実験例１における二次巻線の出力電圧の最低値は、従来構成の比較例２（１４．９［ｋＶ］）と比べて大きい値であることから、着火用高電圧として必要な電圧値を満足している。また、複数の出力電圧の最高値と最低値との差分値は、実験例１が１．６［ｋＶ］（＝１７．９−１６．３）であり、実験例２が１．８［ｋＶ］（＝１８．６−１６．８）であるため、複数の高圧出力端子ごとの出力電圧のバラツキは、実験例２よりも実験例１の方が小さくなる。このため、上述の通り、一次巻線について「３個に分けて配置する構成」を採用するにあたり、「端部一次巻線の巻数が中央一次巻線の巻数よりも少なく、かつ、端部一次巻線の巻数が中央一次巻線の巻数の２分の１以上である構成」を採用することで、複数の高圧出力端子ごとの出力電圧のバラツキを低減できる。
【００６４】
次に、放電エネルギーの測定結果について比較すると、複数の高圧出力端子ごとの放電エネルギーのバラツキ（最高値と最低値との差分値）は、実験例１が０．２２［ｍＪ］（＝１．６４−１．４２）であり、実験例２が０．４７［ｍＪ］（＝１．６７−１．２０）であり、実験例３が０．５３［ｍＪ］（＝１．８４−１．３１）であり、実験例４が０．４９［ｍＪ］（＝１．８６−１．３７）であり、比較例２が０．２２［ｍＪ］（＝１．６７−１．４５）である。この測定結果によれば、実験例１における放電エネルギーのバラツキは、従来構成（比較例２）と同等であることが分かる。なお、実験例２〜実験例４は、従来構成（比較例２）と比べて、放電エネルギーのバラツキは大きいものの、上述の通り、着火用高電圧として必要な電圧値を満足しているため、着火用途に利用可能な性能を有している。
【００６５】
ここで、図８に、実験例１および比較例２における二次巻線の出力電圧の測定結果を折れ線グラフで表した説明図を示す。図８に示すように、実験例１は、比較例２に比べて、二次巻線の出力電圧が全体的に向上すると共に、複数の高圧出力端子ごとの出力電圧のバラツキを同程度以下に抑制できる。実験例１は、比較例２よりも二次巻線の個数（換言すれば、極数）が増加した構成を採用するにあたり、一次巻線の巻数（合計）を同一値に維持しながら一次巻線の巻き方（個数）を変更することで、二次巻線の出力電圧を向上しつつ、出力電圧のバラツキを抑制している。
【００６６】
次に、図９に、実験例１および比較例２における二次巻線の放電エネルギーの測定結果を折れ線グラフで表した説明図を示す。図９に示すように、実験例１は、比較例２に比べて、二次巻線の放電エネルギーが全体的に同等の値を示すと共に、複数の高圧出力端子ごとの放電エネルギーのバラツキを同程度に抑制できる。実験例１は、比較例２よりも二次巻線の個数（換言すれば、極数）が増加した構成を採用するにあたり、一次巻線の巻数（合計）を同一値に維持しながら一次巻線の巻き方（個数）を変更することで、二次巻線の放電エネルギーを同等に維持しつつ、放電エネルギーのバラツキを抑制している。
【００６７】
［１−５．効果］
以上説明したように、本実施形態の着火装置１に備えられる昇圧トランス２９は、４個の二次巻線２９ｂ１〜２９ｂ４を備えると共に、３個の一次巻線２９ａ１〜２９ａ３を備える。つまり、昇圧トランス２９は、４個の二次巻線２９ｂ１〜２９ｂ４を備えることで、点火用高電圧を出力する高圧出力端子８（端子８Ａ、８Ｂ、８Ｃ、８Ｄ、８Ｅ、８Ｆ、８Ｇ、８Ｈ）を７個以上（７個または８個）備えることができる。
【００６８】
また、一次巻線２９ａのうち端部一次巻線２９ａ１および端部一次巻線２９ａ３は、それぞれ、二次巻線２９ｂのうち端部二次巻線２９ｂ１および端部二次巻線２９ｂ４に重なる領域に形成されている。具体的には、端部一次巻線２９ａ１は、端部二次巻線２９ｂ１の配置領域のうち少なくとも一部に重なる領域に形成されており、端部一次巻線２９ａ３は、端部二次巻線２９ｂ４の配置領域のうち少なくとも一部に重なる領域に形成されている。
【００６９】
また、一次巻線２９ａのうち中央一次巻線２９ａ２は、自身の少なくとも一部が、中間二次巻線２９ｂ２の配置領域のうち少なくとも一部と、中間二次巻線２９ｂ３の配置領域のうち少なくとも一部と、に重なる領域に配置されている。
【００７０】
このように構成された昇圧トランス２９は、４個の二次巻線２９ｂ１〜２９ｂ４を備える場合において、一次巻線の巻数を低減しつつ、４個の二次巻線２９ｂ１〜２９ｂ４のそれぞれの端部に発生する着火用高電圧にバラツキが生じることを抑制できる。このことは、図７に示す測定結果のうち、比較例１の測定結果に対する実験例１〜４の測定結果の対比から読み取ることができる。これにより、昇圧トランス２９は、全ての高圧出力端子８において着火に必要な着火用高電圧を発生できる。
【００７１】
よって、昇圧トランス２９および着火装置１によれば、７極以上の高圧出力端子８を備えるとともに、全ての高圧出力端子８において着火に必要な着火用高電圧を発生できる。
次に、昇圧トランス２９における実験例１は、中央一次巻線２９ａ２の巻数（２０巻）が２つの端部一次巻線２９ａ１，２９ａ３のそれぞれの巻数（１２巻）よりも多い構成である。
【００７２】
これに対して、実験例２は、図６に示すように、中央一次巻線２９ａ２の巻数（１４巻）が２つの端部一次巻線２９ａ１，２９ａ３のそれぞれの巻数（１６巻）よりも僅かに少ない構成である。
【００７３】
上述の測定結果（図７）のとおり、実験例１および実験例２の測定結果を比較すると、複数の高圧出力端子８ごとの出力電圧のバラツキ（最高値と最低値との差分値）は、実験例２（１．８［ｋＶ］）よりも実験例１（１．６［ｋＶ］）の方が小さくなる。また、複数の高圧出力端子８ごとの放電エネルギーのバラツキ（最高値と最低値との差分値）は、実験例２（０．２２［ｍＪ］）と実験例１（０．２２［ｍＪ］）で同等である。
【００７４】
よって、昇圧トランス２９は、７極以上の高電圧出力部を備えるにあたり、中央一次巻線２９ａ２の巻数が２つの端部一次巻線２９ａ１，２９ａ３のそれぞれの巻数よりも多い構成を採用することで、より一層、複数の二次巻線２９ｂ１〜２９ｂ４のそれぞれの端部に発生する着火用高電圧にバラツキが生じることを抑制できる。
【００７５】
次に、昇圧トランス２９における実験例１は、２つの端部一次巻線２９ａ１，２９ａ３のそれぞれの巻数（１２巻）が中央一次巻線２９ａ２の巻数（２０巻）の２分の１以上となる構成である。
【００７６】
これに対して、実験例３は、図６に示すように、２つの端部一次巻線２９ａ１，２９ａ３のそれぞれの巻数（１０巻）が中央一次巻線２９ａ２の巻数（２２巻）の２分の１よりも少ない構成である。
【００７７】
上述の測定結果（図７）のとおり、実験例１および実験例３の測定結果を比較すると、複数の高圧出力端子８ごとの出力電圧のバラツキ（最高値と最低値との差分値）は、実験例３（３．２［ｋＶ］）よりも実験例１（１．６［ｋＶ］）の方が小さくなる。また、複数の高圧出力端子８ごとの放電エネルギーのバラツキ（最高値と最低値との差分値）は、実験例３（０．５３［ｍＪ］）よりも実験例１（０．２２［ｍＪ］）の方が小さくなる。
【００７８】
よって、昇圧トランス２９は、７極以上の高電圧出力部を備えるにあたり、２つの端部一次巻線２９ａ１，２９ａ３のそれぞれの巻数（１２巻）が中央一次巻線２９ａ２の巻数（２０巻）の２分の１以上となる構成を採用することで、より一層、複数の二次巻線２９ｂ１〜２９ｂ４のそれぞれの端部に発生する着火用高電圧にバラツキが生じることを抑制できる。
【００７９】
また、上述のような昇圧トランス２９を備える着火装置１は、昇圧トランス２９と同様に、７極以上の高圧出力端子８を備えるとともに、全ての高圧出力端子８において着火に必要な着火用高電圧を発生できる。
【００８０】
［１−６．文言の対応関係］
ここで、文言の対応関係について説明する。
昇圧トランス２９が着火装置用昇圧トランスの一例に相当し、着火装置１が着火装置の一例に相当し、着火制御回路２１が制御部の一例に相当する。コア２９ｃがコアの一例に相当し、一次巻線２９ａが一次巻線の一例に相当し、二次巻線２９ｂが二次巻線の一例に相当する。
【００８１】
第１一次巻線２９ａ１（端部一次巻線２９ａ１）および第３一次巻線２９ａ３（端部一次巻線２９ａ３）がそれぞれ端部一次巻線の一例に相当し、第２一次巻線２９ａ２（中央一次巻線２９ａ２）が中央一次巻線の一例に相当する。
【００８２】
第１二次巻線２９ｂ１（端部二次巻線２９ｂ１）および第４二次巻線２９ｂ４（端部二次巻線２９ｂ４）がそれぞれ端部二次巻線の一例に相当し、第２二次巻線２９ｂ２（中間二次巻線２９ｂ２）および第３二次巻線２９ｂ３（中間二次巻線２９ｂ３）がそれぞれ中間二次巻線の一例に相当する。
【００８３】
［２．他の実施形態］
以上、本発明の実施形態について説明したが、本発明は上記実施形態に限定されるものではなく、本発明の要旨を逸脱しない範囲において、様々な態様にて実施することが可能である。
【００８４】
例えば、上記の第１実施形態の着火装置１は、８個の高圧出力端子８のうち１つの端子８Ｇがグランドラインに接続されており、実際に着火用高電圧を発生する端子が７個（７極）となる構成であるが、このような構成に限られることはない。つまり、実験例１〜４のように、８個の高圧出力端子８の全てを二次巻線の端部のいずれかに接続して、８個の高圧出力端子８の全てにおいて着火用高電圧を発生する構成としてもよい。
【００８５】
また、着火装置用昇圧トランスは、４個の二次巻線を備える構成に限られることはなく、５個以上の二次巻線を備えて９極以上の高圧出力端子を備える構成としてもよい。この場合、一次巻線は、コアの長手方向の全域にわたり巻回密度が均等となる構成ではなく、コアの長手方向における両端部領域および中央領域の３箇所に少なくとも配置される複数の一次巻線を備える構成としてもよい。この場合、中央領域に配置される一次巻線（中央一次巻線）は、５個以上の二次巻線のうち端部二次巻線を除いた複数の中間二次巻線のそれぞれの配置領域に対して、少なくとも一部が重なる領域に形成してもよい。また、一次巻線、二次巻線の線径やコアの材質は、上記実施形態に限定されるものではなく、本発明の効果が発揮される範囲において適宜変更してもよい。例えば、二次巻線の線径を０．０４ｍｍに設定するようにしてもよい。
【符号の説明】
【００８６】
１…着火装置、１ａ…本体ケース、３…昇圧トランス収容空間、４…着火制御回路収容空間、８…高電圧出力部（高圧出力端子）、８Ａ〜８Ｈ…高圧出力端子、１４…電源入力端子、１４ａ…正極端子、１４ｂ…負極端子、２０…外部電源（電池）、２１…着火制御回路、２１ａ…発振回路、２１ｂ…スイッチング回路、２９…着火装置用昇圧トランス（昇圧トランス）、２９ａ…一次巻線、２９ａ１…第１一次巻線（端部一次巻線）、２９ａ２…第２一次巻線（中央一次巻線）、２９ａ３…第３一次巻線（端部一次巻線）、２９ｂ…二次巻線、２９ｂ１…第１二次巻線（端部二次巻線）、２９ｂ２…第２二次巻線（中間二次巻線）、２９ｂ３…第３二次巻線（中間二次巻線）、２９ｂ４…第４二次巻線（端部二次巻線）、２９ｃ…コア。
【図１】
2017174891.tif 000003
【図２】
2017174891.tif 000004
【図３】
2017174891.tif 000005
【図４】
2017174891.tif 000006
【図５】
2017174891.tif 000007
【図６】
2017174891.tif 000008
【図７】
2017174891.tif 000009
【図８】
2017174891.tif 000010
【図９】
2017174891.tif 000011
【図１０】
2017174891.tif 000012